(57)【要約】【課題】管類の位置調整および着脱操作が容易にできる医療用管類固定具、その製造方法および設置方法を提供する。【解決手段】医療用管類固定具１は、患者の表皮９に固定される固定部２と、管類８を交差方向に挿通させて保持する保持部３と、保持部３と固定部２とを接続する中間部４と、固定部２から中間部４を経て保持部３まで連続するスリット５と、を有する。固定部２は放射状に拡がる複数の固定片２１を有し、各々を患者の表皮９に沿わせて粘着テープ７で固定することができる。保持部３は半円筒状のポスト３２を有し、粘着テープ７を巻いて管類８を固定することができる。【選択図】図４
2018130184.tif 000002
【特許請求の範囲】
【請求項１】
患者の表皮に固定される固定部と、管類を交差方向に挿通させて保持する保持部と、前記保持部と前記固定部とを接続する中間部と、前記固定部から前記中間部を経て前記保持部まで連続するスリットと、を有することを特徴とする医療用管類固定具。
【請求項２】
請求項１に記載した医療用管類固定具において、
前記固定部は、放射状に拡がる複数の固定片を有することを特徴とする医療用管類固定具。
【請求項３】
請求項２に記載した医療用管類固定具において、
前記固定部は、周方向に前記固定片がある区間とない区間とが交互に配置されていることを特徴とする医療用管類固定具。
【請求項４】
請求項２または請求項３に記載した医療用管類固定具において、
前記固定片は、表面または裏面に折曲誘導用の溝部が形成されていることを特徴とする医療用管類固定具。
【請求項５】
請求項１から請求項４のいずれか一項に記載した医療用管類固定具において、
前記中間部は筒状であり、一方の端面の開口縁が前記固定部とされ、他方の端面が蓋状の前記保持部で覆われていることを特徴とする医療用管類固定具。
【請求項６】
請求項５に記載した医療用管類固定具において、
前記中間部の周面は、内外を連通する複数の窓部が開口されていることを特徴とする医療用管類固定具。
【請求項７】
請求項１から請求項６のいずれか一項に記載した医療用管類固定具において、
前記保持部は、前記スリットに臨む半円形の収容部を有することを特徴とする医療用管類固定具。
【請求項８】
請求項１から請求項７のいずれか一項に記載した医療用管類固定具において、
前記保持部は、前記スリットに隣接した位置に前記固定部とは反対側へ突出するポストを有することを特徴とする医療用管類固定具。
【請求項９】
請求項８に記載した医療用管類固定具において、
前記ポストは、前記スリットに臨む半筒状に形成されていることを特徴とする医療用管類固定具。
【請求項１０】
請求項１から請求項９のいずれか一項に記載した医療用管類固定具において、
前記固定部、前記中間部および前記保持部を含む全体が連続した合成樹脂材料で形成されていることを特徴とする医療用管類固定具。
【請求項１１】
請求項１０に記載した医療用管類固定具において、
前記合成樹脂材料は、ポリエチレン系樹脂、ポリプロピレン系樹脂、ポリ塩化ビニル樹脂、あるいは他のエラストマー系樹脂であることを特徴とする医療用管類固定具。
【請求項１２】
請求項１０または請求項１１に記載した医療用管類固定具において、
前記合成樹脂材料は、セルロース素材またはカーボン素材で繊維強化された合成樹脂材料であることを特徴とする医療用管類固定具。
【請求項１３】
請求項１０から請求項１２のいずれか一項に記載した医療用管類固定具において、
前記合成樹脂材料は、部分的に異なる材質または異なる色とされていることを特徴とする医療用管類固定具。
【請求項１４】
請求項１０から請求項１２のいずれか一項に記載した医療用管類固定具の製造方法であって、
射出成形機を用いて前記合成樹脂材料を金型内に射出して前記医療用管類固定具を一体成形することを特徴とする医療用管類固定具の製造方法。
【請求項１５】
請求項１３に記載した医療用管類固定具の製造方法であって、
多材射出成形機を用いて異なる材質または異なる色の前記合成樹脂材料を金型内に射出して前記医療用管類固定具を一体成形することを特徴とする医療用管類固定具の製造方法。
【請求項１６】
請求項１から請求項１３のいずれか一項に記載した医療用管類固定具の設置方法であって、
前記スリットを通して前記管類を前記保持部に挿通し、粘着テープを用いて前記保持部と前記管類とを固定し、粘着テープを用いて前記固定部を患者の表皮に固定することを特徴とする医療用管類固定具の設置方法。
【発明の詳細な説明】
【技術分野】
【０００１】
本発明は、医療用管類固定具、その製造方法および設置方法に関する。
【背景技術】
【０００２】
医療現場では、患者への薬液注入や体内からの排液を行うために、患者の身体にカテーテル等の管類が接続される。これらの管類を患者の身体に固定しておくために、保持装置が開発されている（特許文献１参照）。
特許文献１の保持装置は、粘着性を有する接着パッドにより患者の表皮に接着されるとともに、接着パッドの表面に形成されたラチエット締め付け式のストラップで管類の中間部を固定することで、管類を患者の身体に対して一定の位置および姿勢で保持することができる。固定される管類としては、排液管などのチューブ自体のほか、チューブに接続されて患者の表皮に穿刺される穿刺針を固定することもできる。
【先行技術文献】
【特許文献】
【０００３】
【特許文献１】特開平６−２３８００６号公報
【発明の概要】
【発明が解決しようとする課題】
【０００４】
前述した特許文献１の保持装置は、粘着パッドで患者に接着されるため、患者の表皮に対する位置調整が困難である。また、管類の固定がラチエット締め付け式のストラップであるため、特定の締め付け操作が必要であるうえ、解除する操作も煩雑となる。
医療現場では、汎用性の高さや機能的な柔軟性の高さから、不織布製粘着テープが多用されており、このような粘着テープとの組み合わせにより、位置調整や固定操作の容易化を図れる可能性がある。
しかし、前述した特許文献１の保持装置は、このような粘着テープとの組み合わせ使用が考慮されておらず、効率よく柔軟な運用に適したものではなかった。
【０００５】
本発明の目的は、管類の位置調整および着脱操作が容易にできる医療用管類固定具、その製造方法および設置方法を提供することにある。
【課題を解決するための手段】
【０００６】
本発明の医療用管類固定具は、患者の表皮に固定される固定部と、管類を交差方向に挿通させて保持する保持部と、前記保持部と前記固定部とを接続する中間部と、前記固定部から前記中間部を経て前記保持部まで連続するスリットと、を有することを特徴とする。
【０００７】
本発明では、医療用管類固定具を患者の表皮の所定位置に配置する際に、患者の表皮から続く管類つまりカテーテルや穿刺針をスリットから導入し、保持部に挿通させておく。
この際、先に管類をスリットから保持部に挿通し、次に固定部を患者の表皮に当接させてもよく、先に固定部を患者の表皮の管類近傍に当接し、次に管類をスリットから保持部に挿通させてもよい。
医療用管類固定具が配置できたら、管類および患者の表皮と医療用管類固定具との位置調整を行ったうえ、粘着テープなどを管類に巻いて保持部に固定し、固定部ないし中間部と周囲の患者の表皮とを粘着テープなどで固定する。
撤去する際には、粘着テープを剥がすことで、患者の表皮および管類から医療用管類固定具を取り外すことができる。
従って、本発明の医療用管類固定具によれば、管類の位置調整および着脱操作が容易にできる。
【０００８】
本発明の医療用管類固定具において、前記固定部は、放射状に拡がる複数の固定片を有することが好ましい。
本発明では、医療用管類固定具を患者の表皮の所定位置に配置した状態で、固定片の上から粘着テープを貼って固定片を表皮に固定することができる。固定片は複数が放射状に形成されているため、患者の表皮に起伏がある場合でも、その形状に追従させることが容易にできる。
【０００９】
本発明の医療用管類固定具において、前記固定部は、周方向に前記固定片がある区間とない区間とが交互に配置されていることが好ましい。
本発明では、固定片の周囲に十分な空間が形成され、患者の表皮が大きく露出されるため、粘着テープを貼るための領域を十分な面積で確保することができる。
【００１０】
本発明の医療用管類固定具において、前記固定片は、表面または裏面に折曲誘導用の溝部が形成されていることが好ましい。
本発明では、折曲誘導用の溝部により、固定片の折曲が容易に行え、設置にあたって固定片を患者の表皮に沿わせることが容易にできる。
溝部の形状としては、Ｖ字断面、Ｕ字断面、矩形断面、半円形断面など、適宜利用できる。
【００１１】
本発明の医療用管類固定具において、前記中間部は筒状であり、一方の端面の開口縁が前記固定部とされ、他方の端面が蓋状の前記保持部で覆われていることが好ましい。
本発明では、筒状の中間部により、固定部と保持部とが確実に接続され、管類の保持に要求される所期の強度を確保することができる。
中間部の形状としては、円筒状または円錐台状、角筒状または角錐台状とすることができる。角筒状または角錐台状の断面形状としては、三角形、四角形、五角形、六角形ないしそれ以上の多角形であってもよい。円筒状または円錐台状の断面形状としては、真円のほか、楕円または長円形などとしてもよい。
【００１２】
本発明の医療用管類固定具において、前記中間部の周面は、内外を連通する複数の窓部が開口されていることが好ましい。
本発明では、窓部により内部を視認することができ、あるいは窓部を通して管類の位置や姿勢などを操作することができる。また、材料を削減することもできる。
【００１３】
本発明の医療用管類固定具において、前記保持部は、前記スリットに臨む半円形の収容部を有することが好ましい。
本発明では、収容部に管類を収容した状態で、粘着テープにより保持部に固定することができる。
【００１４】
本発明の医療用管類固定具において、前記保持部は、前記スリットに隣接した位置に前記固定部とは反対側へ突出するポストを有することが好ましい。
本発明では、ポストに管類を沿わせた状態で粘着テープを巻き付けることで、固定を容易かつ確実に行うことができる。
【００１５】
本発明の医療用管類固定具において、前記ポストは、前記スリットに臨む半筒状に形成されていることが好ましい。
本発明では、半筒状（半円筒状または半割の角筒状）のポストに管類を収容した状態で粘着テープを巻き付けることで、固定を容易かつ確実に行うことができる。
【００１６】
本発明の医療用管類固定具において、前記固定部、前記中間部および前記保持部を含む全体が連続した合成樹脂材料で形成されていることが好ましい。
本発明では、全体が射出成形などにより一体成形することができ、製造が容易かつ製造コストを低減することができる。
【００１７】
本発明の医療用管類固定具において、前記合成樹脂材料は、ポリエチレン系樹脂、ポリプロピレン系樹脂、ポリ塩化ビニル樹脂、あるいは他のエラストマー系樹脂であることが好ましい。
本発明では、安価な合成樹脂材料を用いることで、医療用管類固定具の製造コストを低減できる。
【００１８】
本発明の医療用管類固定具において、前記合成樹脂材料は、セルロース素材またはカーボン素材で繊維強化された合成樹脂材料であることが好ましい。
本発明では、医療用管類固定具の素材強度を高めることができ、所期の強度を確保しつつ薄肉軽量化することができる。
【００１９】
本発明の医療用管類固定具において、前記合成樹脂材料は、部分的に異なる材質または異なる色とされていることが好ましい。
本発明では、例えば中間部の合成樹脂材料と固定部および保持部の合成樹脂材料とを異なる色とすることで、患者の表皮に設置する際に粘着テープを貼る際の目印とすることができる。また、患者の表皮に接する固定部の合成樹脂材料を、中間部や固定部の合成樹脂材料よりも柔軟な材質とすることで、患者の表皮への密着性を高めることができるとともに、患者に対する負担を軽減することができる。
【００２０】
本発明の医療用管類固定具の製造方法は、射出成形機を用いて前記合成樹脂材料を金型内に射出して前記医療用管類固定具を一体成形することを特徴とする。
本発明では、前述した本発明の医療用管類固定具を一体成形することができ、製造が容易かつ製造コストを低減することができる。
【００２１】
本発明の医療用管類固定具の製造方法は、多材射出成形機を用いて異なる材質または異なる色の前記合成樹脂材料を金型内に射出して前記医療用管類固定具を一体成形することを特徴とする。
本発明では、部分的に異なる材質または異なる色とされている医療用管類固定具であっても、一体成形することができ、製造が容易かつ製造コストを低減することができる。
【００２２】
本発明の医療用管類固定具の設置方法は、前記スリットを通して前記管類を前記保持部に挿通し、粘着テープを用いて前記保持部と前記管類とを固定し、粘着テープを用いて前記固定部を患者の表皮に固定することを特徴とする。
本発明では、本発明の医療用管類固定具を使用する際に、医療現場で看護師が頻繁に利用する粘着テープを活用することができ、作業にあたる看護師の負担も軽減することができる。
【発明の効果】
【００２３】
本発明によれば、管類の位置調整および着脱操作が容易にできる医療用管類固定具、その製造方法および設置方法を提供することができる。
【図面の簡単な説明】
【００２４】
【図１】本発明の第１実施形態を示す斜視図。
【図２】前記第１実施形態を示す断面図。
【図３】前記第１実施形態の溝部を示す拡大断面図。
【図４】前記第１実施形態の使用状態を示す斜視図。
【図５】本発明の第２実施形態を示す斜視図。
【図６】本発明の第３実施形態を示す斜視図。
【図７】本発明の第４実施形態を示す斜視図。
【図８】本発明の第５実施形態を示す斜視図。
【図９】本発明の第６実施形態を示す斜視図。
【図１０】本発明の第７実施形態を示す斜視図。
【図１１】本発明の第８実施形態を示す斜視図。
【図１２】本発明の第９実施形態を示す斜視図。
【図１３】本発明の第１０実施形態を示す斜視図。
【図１４】本発明の第１１実施形態を示す斜視図。
【発明を実施するための形態】
【００２５】
〔第１実施形態〕
図１から図４には、本発明の第１実施形態が示されている。
図１および図２において、医療用管類固定具１は、患者の表皮に固定される固定部２と、管類を交差方向に挿通させて保持する保持部３と、保持部３と固定部２とを接続する中間部４と、固定部２から中間部４を経て保持部３まで連続するスリット５と、を有する。
【００２６】
中間部４は、円錐台状の本体４１を有する。本体４１は筒状であり、一方の端面の開口縁４２が固定部２とされ、他方の端面は蓋体４３で覆われ、この蓋体４３により保持部３が形成されている。
【００２７】
固定部２は、開口縁４２から放射状に拡がる複数（本実施形態では４枚）の固定片２１を有する。
これらの固定片２１は、開口縁４２に均等間隔で間欠的に接続されている。つまり、開口縁４２は、周方向に固定片２１がある区間とない区間とが交互に配置され、それぞれの固定片２１の間には十分な間隔が形成されている。
【００２８】
固定片２１の根元部分には、折曲誘導用の溝部２２が形成されている。
溝部２２としては、図３（Ａ）に示すように、本体４１と固定片２１との接続部分に形成された略矩形の溝部２２１が利用できる。また、図３（Ｂ）に示すように、本体４１と固定片２１との接続部分から離れた部分に形成されたＶ字状の溝部２２２としてもよい。
これらの溝部２２は、固定片２１の表面または裏面、あるいはその両方に形成してもよい。一方、図３（Ｃ）に示すように、固定片２１の溝部２２は省略してもよい。
【００２９】
保持部３は、スリット５に臨む半円形の収容部３１を有する。
スリット５は、本体４１の開口縁４２のうち、固定片２１がない領域から切り込まれ、本体４１の側面を経由して蓋体４３まで連続し、蓋体４３の中心部に半円形の端部が形成されており、この部分が収容部３１とされている。
収容部３１には、スリット５の半円形の端部から連続して、固定部２とは反対側へ突出する半円筒状のポスト３２が形成されている。
ポスト３２は、半円筒状の内側がスリット５に臨んで配置されている。従って、ポスト３２の内周面に管類を沿わせることで、管類を蓋体４３に対して交差方向に保持可能である。
【００３０】
本実施形態においては、前述した固定部２、中間部４および保持部３を含む全体が連続した合成樹脂材料で形成されている。
合成樹脂材料としては、柔軟性が高い低密度ポリエチレン樹脂（商品名「ペトセロン」など）が好適である。そのグレードはペトセロン３５、硬度（デュロメータ硬さ）は５０〜６０、望ましくは５３である。
合成樹脂材料は、ポリエチレン系樹脂、ポリプロピレン系樹脂、ポリ塩化ビニル樹脂、あるいは他のエラストマー系樹脂であってもよい。なかでも、エラストマー系樹脂（商品名ウェルネスやゼラスＭＣ１１９等）は、透明度が高く、内部の状態が確認できてよい。
【００３１】
本実施形態において、固定部２、中間部４および保持部３の合成樹脂材料は、セルロース素材またはカーボン素材で繊維強化されている。
これらの繊維強化は部分的であってもよく、合成樹脂材料も部分的に異なるものであってもよい。例えば、剛性が必要な中間部４は繊維強化樹脂とし、柔軟性が必要な固定片２１は繊維強化を省略してもよい。また、柔軟性が必要な固定片２１に対して、本体４１よりも柔軟な合成樹脂材料を部分的に用いてもよい。
なお、固定部２、中間部４および保持部３の材料厚みを変えることで、各々の柔軟性あるいは剛性を調整することもできる。例えば、固定片２１の厚みを薄くすることで柔軟性を高めることができ、本体４１の厚みを増すことで剛性を高めることができる。
【００３２】
本実施形態においては、固定部２の固定片２１および保持部３のポスト３２が、他の部分である中間部４の本体４１および蓋体４３とは異なる色で形成されている。例えば、中間部４が無色透明とされ、固定片２１およびポスト３２が注意喚起に適した黄色とされている。
【００３３】
〔第１実施形態の製造方法〕
本実施形態の医療用管類固定具１は、以下の方法で製造することができる。
本実施形態の医療用管類固定具１は、固定部２、中間部４および保持部３を含む全体が連続した合成樹脂材料で形成されている。このため、射出成形機を用いて固定部２、中間部４および保持部３となるべき合成樹脂材料を金型内に射出し、これにより医療用管類固定具１を一体成形することができる。
とくに、本実施形態の医療用管類固定具１は、射出成形機として多材射出成形機を用い、複数種類の合成樹脂材料を金型内に射出することで、固定片２１およびポスト３２の色を他と異なるものを一体成形にすることができる。
【００３４】
〔第１実施形態の設置方法〕
本実施形態の医療用管類固定具１は、以下の方法で患者の表皮に設置することで、管類の固定を行うことができる。
図４において、患者の表皮９にカテーテル等の管類８の穿刺針８１を接続し、管類８を表皮９から離れる方向へ保持しておく。
この状態で、医療用管類固定具１を近くの表皮９に配置し、固定部２の固定片２１を表皮９に当接させるとともに、スリット５を管類８に向けた状態とする。
【００３５】
次に、医療用管類固定具１を管類８に向けて移動させ、管類８をスリット５から医療用管類固定具１の内側に導入し、管類８の中間部を保持部３のポスト３２の内周面に沿わせる。そして、ポスト３２と管類８とに粘着テープ７を巻き、これらを一体に束ねて固定する。さらに、固定片２１の各々に粘着テープ７を貼り、患者の表皮９に固定する。
以上により、医療用管類固定具１を介して管類８を患者の表皮９に固定することができる。
なお、粘着テープ７を巻いてポスト３２に固定するのは、管類８のチューブ部分でなく、穿刺針８１であってもよい。
【００３６】
〔第１実施形態の効果〕
本実施形態では、医療用管類固定具１により、管類８を患者の表皮９に固定することができる。
医療用管類固定具１は、その固定に先立って、管類８および患者の表皮９に対する医療用管類固定具１の位置を適宜調整することができる。
【００３７】
本実施形態では、管類８の保持部３への固定および固定部２と患者の表皮９との固定に、それぞれ粘着テープ７を用いることができる。
粘着テープ７は、医療現場で多用される資材であり、看護師などの現場作業者にとって取り扱いが容易である。
また、医療用管類固定具１の位置が良好でなかった場合など、粘着テープ７を剥がして再び位置調整し、固定しなおすことができる。
さらに、医療用管類固定具１を撤去する際には、粘着テープ７を剥がすことで、患者の表皮９および管類８から簡単に取り外すことができる。
このように、本実施形態の医療用管類固定具１によれば、管類の位置調整および着脱操作が容易にできる。
【００３８】
本実施形態では、医療用管類固定具１を患者の表皮９の所定位置に配置した状態で、固定片２１の上から粘着テープ７を貼って固定片２１を表皮に固定することができる。固定片２１は複数が放射状に形成されているため、患者の表皮９に起伏がある場合でも、その形状に追従させることが容易にできる。
本実施形態において、固定部２は、周方向に固定片２１がある区間とない区間とが交互に配置されているため、固定片２１の周囲に十分な空間が形成され、患者の表皮９が大きく露出されるため、粘着テープ７を貼るための領域を十分な面積で確保できる。
【００３９】
本実施形態では、固定片２１の表面または裏面に折曲誘導用の溝部２２が形成されているため、この溝部２２により、固定片２１の折曲が容易に行え、設置にあたって固定片２１を患者の表皮９に沿わせることが容易にできる。
なお、溝部２２の形状としては、前述した矩形断面の溝部２２１やＶ字断面の溝部２２２のほか、Ｕ字断面、矩形断面、半円形断面など、適宜利用することができる。
【００４０】
本実施形態では、中間部４に筒状の本体４１を用いたため、固定部２と保持部３とが確実に接続され、管類８の保持に要求される所期の強度を確保することができる。
なお、中間部４の本体４１の形状としては、円筒状または円錐台状、角筒状または角錐台状とすることができる。角筒状または角錐台状の断面形状としては、三角形、四角形、五角形、六角形ないしそれ以上の多角形であってもよい。円筒状または円錐台状の断面形状としては、真円のほか、楕円または長円形などとしてもよい。
【００４１】
本実施形態において、保持部３は、スリット５に臨む半円形の収容部３１を有するものとし、さらにスリット５に隣接した位置に固定部２とは反対側へ突出するポスト３２を有するものとした。
このため、ポスト３２に管類８を沿わせた状態で粘着テープ７を巻き付けることで、管類８の固定を容易かつ確実に行うことができる。
とくに、ポスト３２は、スリット５に臨む半円筒状に形成されているため、ポスト３２に管類８を収容した状態で粘着テープ７を巻き付けることで固定を容易に行え、かつ、ポスト３２の内側に管類８を収容することで、固定を確実に行うことができる。
【００４２】
本実施形態では、医療用管類固定具１を、ポリエチレン系樹脂、ポリプロピレン系樹脂、ポリ塩化ビニル樹脂、あるいは他のエラストマー系樹脂の射出による一体成形としたため、医療用管類固定具１の製造を容易にでき、安価な合成樹脂材料を用いることで、医療用管類固定具１の製造コストを低減できる。
とくに、セルロース素材またはカーボン素材で繊維強化された合成樹脂材料を全体または部分的に用いることで、医療用管類固定具１の素材強度を高めることができ、所期の強度を確保しつつ薄肉軽量化することができる。
【００４３】
本実施形態では、医療用管類固定具１の合成樹脂材料は、部分的に異なる材質または異なる色とした。具体的には、中間部４の本体４１の合成樹脂材料と、固定部２の固定片２１および保持部３のポスト３２の合成樹脂材料とを異なる色とすることで、患者の表皮９に設置する際に粘着テープ７を貼る際の目印とすることができる。
また、患者の表皮９に接する固定片２１の合成樹脂材料を、中間部４や保持部３の合成樹脂材料よりも柔軟な材質とすることで、患者の表皮９への密着性を高めることができるとともに、患者に対する負担を軽減することができる。
【００４４】
〔第２実施形態〕
図５には、本発明の第２実施形態が示されている。
本実施形態の医療用管類固定具１Ａは、基本的構成が前述した第１実施形態の医療用管類固定具１と同様であり、重複する構成の説明は省略し、以下には異なる構成について説明する。
本実施形態の医療用管類固定具１Ａは、保持部３の半円筒状のポスト３２に、一対の突起状のクリップ３２１を備えている。
本実施形態の保持部３では、管類を保持部３に固定する際、粘着テープを巻く前に、クリップ３２１で管類を仮留めしておくことができ、作業を容易にできる。
【００４５】
〔第３実施形態〕
図６には、本発明の第３実施形態が示されている。
本実施形態の医療用管類固定具１Ｂは、基本的構成が前述した第１実施形態の医療用管類固定具１と同様であり、重複する構成の説明は省略し、以下には異なる構成について説明する。
本実施形態の医療用管類固定具１Ｂは、保持部３のポスト３２Ｂが細い棒状に形成されている。
本実施形態の保持部３では、第１実施形態の半円筒状のポスト３２のように管類を内側に収めることはできないが、管類が斜めになっていてもポスト３２Ｂとともに粘着テープを巻くことが容易にできる。
このような棒状のポスト３２Ｂは、成形時には蓋体４３に沿ってスリット５の内側に延びており、使用時に蓋体４３と交差方向に起立させるものであってもよい。
【００４６】
〔第４実施形態〕
図７には、本発明の第４実施形態が示されている。
本実施形態の医療用管類固定具１Ｃは、基本的構成が前述した第１実施形態の医療用管類固定具１と同様であり、重複する構成の説明は省略し、以下には異なる構成について説明する。
本実施形態の医療用管類固定具１Ｃは、第１実施形態のポスト３２に相当する構成が省略され、保持部３はスリット５に臨む半円形の収容部３１で構成されている。
本実施形態では、前述した各実施形態のポスト３２，３２Ｂのように管類とともに粘着テープを巻き付けることができない。しかし、収容部３１を通る管類を、粘着テープで蓋体４３に貼り付けることで固定することができ、本実施形態においても管類の粘着テープによる固定が可能である。
【００４７】
〔第５実施形態〕
図８には、本発明の第５実施形態が示されている。
本実施形態の医療用管類固定具１Ｄは、基本的構成が前述した第１実施形態の医療用管類固定具１と同様であり、重複する構成の説明は省略し、以下には異なる構成について説明する。
本実施形態の医療用管類固定具１Ｄは、第１実施形態のポスト３２に相当する構成が省略され、前述した第４実施形態と同様に、保持部３はスリット５に臨む収容部３１Ｄで構成されている。
ただし、本実施形態の収容部３１Ｄは、第４実施形態の収容部３１よりも大径の円形孔とされ、連続するスリット５の幅よりも拡げられている。
本実施形態では、前述した第５実施形態と同様な効果が得られるほか、収容部３１Ｄが大径とされているため、蓋体４３の裏側まで延びるように粘着テープを貼る際にも操作を容易に行うことができる。
【００４８】
〔第６実施形態〕
図９には、本発明の第６実施形態が示されている。
本実施形態の医療用管類固定具１Ｅは、基本的構成が前述した第１実施形態の医療用管類固定具１と同様であり、重複する構成の説明は省略し、以下には異なる構成について説明する。
本実施形態の医療用管類固定具１Ｅは、第１実施形態のポスト３２に相当する構成が省略され、前述した第５実施形態と同様に、保持部３はスリット５に臨む大径の収容部３１Ｅで構成されている。さらに、収容部３１Ｅとスリット５との境界部分に一対の突起部３１２が形成されており、スリット５はいったん幅が狭められてから突起部３１２を経て収容部３１Ｅに連続されている。
本実施形態では、前述した第５実施形態と同様な効果が得られるほか、収容部３１Ｅに収容された管類を突起部３１２で仮留めすることができ、粘着テープで固定する操作を容易にすることができる。
なお、突起部３１２はさらに突出させてもよく、例えば第２実施形態の一対の突起状のクリップ３２１のように形成してもよい。
【００４９】
〔第７実施形態〕
図１０には、本発明の第７実施形態が示されている。
本実施形態の医療用管類固定具１Ｆは、基本的構成が前述した第１実施形態の医療用管類固定具１と同様であり、重複する構成の説明は省略し、以下には異なる構成について説明する。
本実施形態の医療用管類固定具１Ｆは、中間部４の本体４１の周面に、内外を連通する複数の窓部４１１が開口されている。
本実施形態では、前述した第１実施形態と同様な効果が得られるほか、窓部４１１により本体４１の内部を視認することができる。また、窓部４１１を通して、管類の位置や姿勢などを操作することができる。さらに、本体４１の材料を削減することもできる。
【００５０】
〔第８実施形態〕
図１１には、本発明の第８実施形態が示されている。
本実施形態の医療用管類固定具１Ｇは、基本的構成が前述した第１実施形態の医療用管類固定具１と同様であり、重複する構成の説明は省略し、以下には異なる構成について説明する。
本実施形態の医療用管類固定具１Ｇは、第１実施形態のような固定片２１がなく、固定部２が開口縁４２で構成されている。
本実施形態では、前述した第１実施形態における固定片２１の効果は得られないが、開口縁４２を患者の表皮に当接させて本体４１を粘着テープで貼ることで固定することができる。そして、固定片２１がないため、小型化が可能である。とくに、保持部３のポスト３２を第３実施形態のような折りたたみ式のポスト３２Ｂとしたり、第４〜第６の実施形態のようにポストを省略したりすれば、さらに小型化が可能である。
【００５１】
〔第９実施形態〕
図１２には、本発明の第９実施形態が示されている。
本実施形態の医療用管類固定具１Ｈは、基本的構成が前述した第１実施形態の医療用管類固定具１と同様であり、重複する構成の説明は省略し、以下には異なる構成について説明する。
本実施形態の医療用管類固定具１Ｈは、第１実施形態のような固定片２１がなく、固定部２が開口縁４２で構成されている（図１１の第８実施形態と同様）。
本実施形態の医療用管類固定具１Ｈは、第１実施形態のポスト３２に相当する構成が省略され、保持部３はスリット５に臨む半円形の収容部３１で構成されている（図７の第４実施形態と同様）。
本実施形態では、前述した第１実施形態における固定片２１の効果は得られないが、開口縁４２を患者の表皮に当接させて本体４１を粘着テープで貼ることで固定することができる。そして、固定片２１がないため、小型化が可能である。
本実施形態では、前述した各実施形態のポスト３２，３２Ｂのように管類とともに粘着テープを巻き付けることができない。しかし、収容部３１を通る管類を、粘着テープで蓋体４３に貼り付けることで固定することができ、本実施形態においても管類の粘着テープによる固定が可能である。
【００５２】
〔第１０実施形態〕
図１３には、本発明の第１０実施形態が示されている。
本実施形態の医療用管類固定具１Ｋは、基本的構成が前述した第１実施形態の医療用管類固定具１と同様であり、重複する構成の説明は省略し、以下には異なる構成について説明する。
本実施形態の医療用管類固定具１Ｋは、第１実施形態のような固定片２１がなく、固定部２が開口縁４２で構成されている（図１１の第８実施形態と同様）。
本実施形態の医療用管類固定具１Ｋは、第１実施形態のポスト３２に相当する構成が省略され、保持部３はスリット５に臨む大径の収容部３１Ｄで構成されている（図８の第５実施形態と同様）。
本実施形態では、前述した第９実施形態と同様な効果が得られるほか、収容部３１Ｄが大径とされているため、蓋体４３の裏側まで延びるように粘着テープを貼る際にも操作を容易に行うことができる。
【００５３】
〔第１１実施形態〕
図１４には、本発明の第１１実施形態が示されている。
本実施形態の医療用管類固定具１Ｌは、基本的構成が前述した第１実施形態の医療用管類固定具１と同様であり、重複する構成の説明は省略し、以下には異なる構成について説明する。
本実施形態の医療用管類固定具１Ｌは、第１実施形態のような固定片２１がなく、固定部２が開口縁４２で構成されている（図１１の第８実施形態と同様）。
本実施形態の医療用管類固定具１Ｌは、第１実施形態のポスト３２に相当する構成が省略され、保持部３はスリット５に臨む大径の収容部３１Ｅで構成されている。さらに、収容部３１Ｅとスリット５との境界部分に一対の突起部３１２が形成されており、スリット５はいったん幅が狭められてから突起部３１２を経て収容部３１Ｅに連続されている（図９の第６実施形態と同様）。
本実施形態では、前述した第１０実施形態と同様な効果が得られるほか、収容部３１Ｅに収容された管類を突起部３１２で仮留めすることができ、粘着テープで固定する操作を容易にすることができる。
【００５４】
〔変形例〕
なお、本発明は前述した各実施形態に限定されるものではなく、本発明の目的を達成できる範囲での変形などは本発明に含まれる。
第１〜第７の実施形態では、開口縁４２に沿って固定片２１がある区間とない区間とが交互に配置されるようにした。しかし、開口縁４２に沿って隙間なく固定片２１が配置されるようにしてもよい。
第１〜第７の実施形態では、固定片２１を４枚設けたが、これは５枚以上であってもよく、３枚以下であってもよい。固定片２１は複数に限らず、１枚であってもよく、本体４１の周囲に連続した円板状であってもよい。
【００５５】
図３で説明した通り、固定片２１に形成する溝部２２の形状は適宜変更してよく、溝部２２を省略してもよい。
中間部４の本体４１の形状は、第１実施形態で説明した通り、種々の筒状が利用できる。さらに、第７実施形態のように、中間部４の側面に窓部４１１などの開口を形成してもよい。
第１〜第３および第７、第８の実施形態では、保持部３として蓋体４３から外向き（固定部２と反対側）に立ち上がるポスト３２，３２Ｂを設けたが、ポストは内向きに（蓋体４３から固定部２に向けて）形成してもよく、あるいは両側に形成してもよい。
本発明において、表皮とは患者の皮膚に限らず、患者の体表に張られた医療用資材あるいは患者の着衣をも含み、これらの上から患者の体に本発明の医療用管類固定具を固定してもよい。
その他、各部の寸法、材質、厚みなどは実施にあたって適宜変更できるものである。
【産業上の利用可能性】
【００５６】
本発明は、医療用管類固定具、その製造方法および設置方法として利用できる。
【符号の説明】
【００５７】
１，１Ａ〜１Ｌ…医療用管類固定具、２…固定部、２１…固定片、２２，２２１，２２２…溝部、３…保持部、３１，３１Ｄ，３１Ｅ…収容部、３１２…突起部、３２，３２Ｂ…ポスト、３２１…クリップ、４…中間部、４１…本体、４１１…窓部、４２…開口縁、４３…蓋体、５…スリット、７…粘着テープ、８…管類、８１…穿刺針、９…表皮。
【図１】
2018130184.tif 000003
【図２】
2018130184.tif 000004
【図３】
2018130184.tif 000005
【図４】
2018130184.tif 000006
【図５】
2018130184.tif 000007
【図６】
2018130184.tif 000008
【図７】
2018130184.tif 000009
【図８】
2018130184.tif 000010
【図９】
2018130184.tif 000011
【図１０】
2018130184.tif 000012
【図１１】
2018130184.tif 000013
【図１２】
2018130184.tif 000014
【図１３】
2018130184.tif 000015
【図１４】
2018130184.tif 000016
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
患者の表皮に固定される固定部と、管類を交差方向に挿通させて保持する保持部と、前記保持部と前記固定部とを接続する中間部と、前記固定部から前記中間部を経て前記保持部まで連続するスリットと、を有し、
前記中間部は筒状であり、一方の端面の開口縁が前記固定部とされ、他方の端面の開口が平板状の蓋体で覆われ、前記蓋体により前記保持部が形成され、
前記保持部は、前記スリットに隣接した位置から前記固定部とは反対側へ突出しており前記管類を沿わせた状態で粘着テープを巻き付け可能なポストを有することを特徴とする医療用管類固定具。
【請求項２】
請求項１に記載した医療用管類固定具において、
前記固定部は、放射状に拡がる複数の固定片を有することを特徴とする医療用管類固定具。
【請求項３】
請求項２に記載した医療用管類固定具において、
前記固定部は、周方向に前記固定片がある区間とない区間とが交互に配置されていることを特徴とする医療用管類固定具。
【請求項４】
請求項２または請求項３に記載した医療用管類固定具において、
前記固定片は、表面または裏面に折曲誘導用の溝部が形成されていることを特徴とする医療用管類固定具。
【請求項５】
請求項１から請求項４のいずれか一項に記載した医療用管類固定具において、
前記中間部の周面は、内外を連通する複数の窓部が開口されていることを特徴とする医療用管類固定具。
【請求項６】
請求項１から請求項５のいずれか一項に記載した医療用管類固定具において、
前記保持部は、前記スリットに臨む半円形の収容部を有することを特徴とする医療用管類固定具。
【請求項７】
請求項１から請求項６のいずれか一項に記載した医療用管類固定具において、
前記ポストは、前記スリットに臨む半筒状に形成されていることを特徴とする医療用管類固定具。
【請求項８】
請求項７に記載した医療用管類固定具において、
前記ポストは、前記ポストの両側から延びる一対のクリップを有することを特徴とする医療用管類固定具。
【請求項９】
請求項１から請求項６のいずれか一項に記載した医療用管類固定具において、
前記ポストは、前記スリットの内側に沿って延びる位置から前記固定部とは反対側へ突出する位置まで起立可能な棒状であることを特徴とする医療用管類固定具。
【請求項１０】
請求項１から請求項９のいずれか一項に記載した医療用管類固定具において、
前記固定部、前記中間部および前記保持部を含む全体が連続した合成樹脂材料で形成されていることを特徴とする医療用管類固定具。
【請求項１１】
請求項１０に記載した医療用管類固定具において、
前記合成樹脂材料は、ポリエチレン系樹脂、ポリプロピレン系樹脂、ポリ塩化ビニル樹脂、あるいは他のエラストマー系樹脂であることを特徴とする医療用管類固定具。
【請求項１２】
請求項１０または請求項１１に記載した医療用管類固定具において、
前記合成樹脂材料は、セルロース素材またはカーボン素材で繊維強化された合成樹脂材料であることを特徴とする医療用管類固定具。
【請求項１３】
請求項１０から請求項１２のいずれか一項に記載した医療用管類固定具において、
前記合成樹脂材料は、部分的に異なる材質または異なる色とされていることを特徴とする医療用管類固定具。
【請求項１４】
請求項１０から請求項１２のいずれか一項に記載した医療用管類固定具の製造方法であって、
射出成形機を用いて前記合成樹脂材料を金型内に射出して前記医療用管類固定具を一体成形することを特徴とする医療用管類固定具の製造方法。
【請求項１５】
請求項１３に記載した医療用管類固定具の製造方法であって、
多材射出成形機を用いて異なる材質または異なる色の前記合成樹脂材料を金型内に射出して前記医療用管類固定具を一体成形することを特徴とする医療用管類固定具の製造方法。
【手続補正３】
【補正対象書類名】明細書
【補正対象項目名】０００１
【補正方法】変更
【補正の内容】
【０００１】
本発明は、医療用管類固定具およびその製造方法に関する。
【手続補正４】
【補正対象書類名】明細書
【補正対象項目名】０００５
【補正方法】変更
【補正の内容】
【０００５】
本発明の目的は、管類の位置調整および着脱操作が容易にできる医療用管類固定具およびその製造方法を提供することにある。
【手続補正５】
【補正対象書類名】明細書
【補正対象項目名】０００６
【補正方法】変更
【補正の内容】
【０００６】
本発明の医療用管類固定具は、患者の表皮に固定される固定部と、管類を交差方向に挿通させて保持する保持部と、前記保持部と前記固定部とを接続する中間部と、前記固定部から前記中間部を経て前記保持部まで連続するスリットと、を有し、前記中間部は筒状であり、一方の端面の開口縁が前記固定部とされ、他方の端面の開口が平板状の蓋体で覆われ、前記蓋体により前記保持部が形成され、前記保持部は、前記スリットに隣接した位置から前記固定部とは反対側へ突出しており前記管類を沿わせた状態で粘着テープを巻き付け可能なポストを有することを特徴とする。
【手続補正６】
【補正対象書類名】明細書
【補正対象項目名】０００７
【補正方法】変更
【補正の内容】
【０００７】
本発明では、医療用管類固定具を患者の表皮の所定位置に配置する際に、患者の表皮から続く管類つまりカテーテルや穿刺針をスリットから導入し、保持部に挿通させておく。
この際、先に管類をスリットから保持部に挿通し、次に固定部を患者の表皮に当接させてもよく、先に固定部を患者の表皮の管類近傍に当接し、次に管類をスリットから保持部に挿通させてもよい。
医療用管類固定具が配置できたら、管類および患者の表皮と医療用管類固定具との位置調整を行ったうえ、粘着テープなどを管類に巻いて保持部に固定し、固定部ないし中間部と周囲の患者の表皮とを粘着テープなどで固定する。
撤去する際には、粘着テープを剥がすことで、患者の表皮および管類から医療用管類固定具を取り外すことができる。
従って、本発明の医療用管類固定具によれば、管類の位置調整および着脱操作が容易にできる。
本発明では、筒状の中間部により、固定部と保持部とが確実に接続され、管類の保持に要求される所期の強度を確保することができる。
中間部の形状としては、円筒状または円錐台状、角筒状または角錐台状とすることができる。角筒状または角錐台状の断面形状としては、三角形、四角形、五角形、六角形ないしそれ以上の多角形であってもよい。円筒状または円錐台状の断面形状としては、真円のほか、楕円または長円形などとしてもよい。
本発明の医療用管類固定具において、前記保持部は、前記スリットに隣接した位置に前記固定部とは反対側へ突出するポストを有することが好ましい。
本発明では、ポストに管類を沿わせた状態で粘着テープを巻き付けることで、固定を容易かつ確実に行うことができる。
【手続補正７】
【補正対象書類名】明細書
【補正対象項目名】００１１
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明の医療用管類固定具において、前記ポストは、前記スリットに臨む半筒状に形成されていることが好ましい。
本発明では、半筒状（半円筒状または半割の角筒状）のポストに管類を収容した状態で粘着テープを巻き付けることで、固定を容易かつ確実に行うことができる。
本発明の医療用管類固定具において、前記ポストは、前記ポストの両側から延びる一対のクリップを有することが好ましい。
本発明では、管類を保持部に固定する際、粘着テープを巻く前に、クリップで管類を仮留めしておくことができ、作業を容易にできる。
本発明の医療用管類固定具において、前記ポストは、前記スリットの内側に沿って延びる位置から前記固定部とは反対側へ突出する位置まで起立可能な棒状であるとしてもよい。
本発明では、半円筒状のポストのように管類を内側に収めることはできないが、管類が斜めになっていてもポストとともに粘着テープを巻くことが容易にできる。そして、棒状のポストは、成形時には蓋体に沿ってスリットの内側に延びており、使用時に蓋体と交差方向に起立させることができる。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
本発明によれば、管類の位置調整および着脱操作が容易にできる医療用管類固定具およびその製造方法を提供することができる。
【手続補正１２】
【補正対象書類名】明細書
【補正対象項目名】００２４
【補正方法】変更
【補正の内容】
【００２４】
【図１】本発明の第１実施形態を示す斜視図。
【図２】前記第１実施形態を示す断面図。
【図３】前記第１実施形態の溝部を示す拡大断面図。
【図４】前記第１実施形態の使用状態を示す斜視図。
【図５】本発明の第２実施形態を示す斜視図。
【図６】本発明の第３実施形態を示す斜視図。
【図７】本発明に含まれない第４実施形態を示す斜視図。
【図８】本発明に含まれない第５実施形態を示す斜視図。
【図９】本発明に含まれない第６実施形態を示す斜視図。
【図１０】本発明の第７実施形態を示す斜視図。
【図１１】本発明の第８実施形態を示す斜視図。
【図１２】本発明に含まれない第９実施形態を示す斜視図。
【図１３】本発明に含まれない第１０実施形態を示す斜視図。
【図１４】本発明に含まれない第１１実施形態を示す斜視図。
【手続補正１３】
【補正対象書類名】明細書
【補正対象項目名】００４６
【補正方法】変更
【補正の内容】
【００４６】
〔第４実施形態〕
図７には、本発明に含まれない第４実施形態が示されている。
本実施形態の医療用管類固定具１Ｃは、基本的構成が前述した第１実施形態の医療用管類固定具１と同様であり、重複する構成の説明は省略し、以下には異なる構成について説明する。
本実施形態の医療用管類固定具１Ｃは、第１実施形態のポスト３２に相当する構成が省略され、保持部３はスリット５に臨む半円形の収容部３１で構成されている。
本実施形態では、前述した各実施形態のポスト３２，３２Ｂのように管類とともに粘着テープを巻き付けることができない。しかし、収容部３１を通る管類を、粘着テープで蓋体４３に貼り付けることで固定することができ、本実施形態においても管類の粘着テープによる固定が可能である。
【手続補正１４】
【補正対象書類名】明細書
【補正対象項目名】００４７
【補正方法】変更
【補正の内容】
【００４７】
〔第５実施形態〕
図８には、本発明に含まれない第５実施形態が示されている。
本実施形態の医療用管類固定具１Ｄは、基本的構成が前述した第１実施形態の医療用管類固定具１と同様であり、重複する構成の説明は省略し、以下には異なる構成について説明する。
本実施形態の医療用管類固定具１Ｄは、第１実施形態のポスト３２に相当する構成が省略され、前述した第４実施形態と同様に、保持部３はスリット５に臨む収容部３１Ｄで構成されている。
ただし、本実施形態の収容部３１Ｄは、第４実施形態の収容部３１よりも大径の円形孔とされ、連続するスリット５の幅よりも拡げられている。
本実施形態では、前述した第５実施形態と同様な効果が得られるほか、収容部３１Ｄが大径とされているため、蓋体４３の裏側まで延びるように粘着テープを貼る際にも操作を容易に行うことができる。
【手続補正１５】
【補正対象書類名】明細書
【補正対象項目名】００４８
【補正方法】変更
【補正の内容】
【００４８】
〔第６実施形態〕
図９には、本発明に含まれない第６実施形態が示されている。
本実施形態の医療用管類固定具１Ｅは、基本的構成が前述した第１実施形態の医療用管類固定具１と同様であり、重複する構成の説明は省略し、以下には異なる構成について説明する。
本実施形態の医療用管類固定具１Ｅは、第１実施形態のポスト３２に相当する構成が省略され、前述した第５実施形態と同様に、保持部３はスリット５に臨む大径の収容部３１Ｅで構成されている。さらに、収容部３１Ｅとスリット５との境界部分に一対の突起部３１２が形成されており、スリット５はいったん幅が狭められてから突起部３１２を経て収容部３１Ｅに連続されている。
本実施形態では、前述した第５実施形態と同様な効果が得られるほか、収容部３１Ｅに収容された管類を突起部３１２で仮留めすることができ、粘着テープで固定する操作を容易にすることができる。
なお、突起部３１２はさらに突出させてもよく、例えば第２実施形態の一対の突起状のクリップ３２１のように形成してもよい。
【手続補正１６】
【補正対象書類名】明細書
【補正対象項目名】００５１
【補正方法】変更
【補正の内容】
【００５１】
〔第９実施形態〕
図１２には、本発明に含まれない第９実施形態が示されている。
本実施形態の医療用管類固定具１Ｈは、基本的構成が前述した第１実施形態の医療用管類固定具１と同様であり、重複する構成の説明は省略し、以下には異なる構成について説明する。
本実施形態の医療用管類固定具１Ｈは、第１実施形態のような固定片２１がなく、固定部２が開口縁４２で構成されている（図１１の第８実施形態と同様）。
本実施形態の医療用管類固定具１Ｈは、第１実施形態のポスト３２に相当する構成が省略され、保持部３はスリット５に臨む半円形の収容部３１で構成されている（図７の第４実施形態と同様）。
本実施形態では、前述した第１実施形態における固定片２１の効果は得られないが、開口縁４２を患者の表皮に当接させて本体４１を粘着テープで貼ることで固定することができる。そして、固定片２１がないため、小型化が可能である。
本実施形態では、前述した各実施形態のポスト３２，３２Ｂのように管類とともに粘着テープを巻き付けることができない。しかし、収容部３１を通る管類を、粘着テープで蓋体４３に貼り付けることで固定することができ、本実施形態においても管類の粘着テープによる固定が可能である。
【手続補正１７】
【補正対象書類名】明細書
【補正対象項目名】００５２
【補正方法】変更
【補正の内容】
【００５２】
〔第１０実施形態〕
図１３には、本発明に含まれない第１０実施形態が示されている。
本実施形態の医療用管類固定具１Ｋは、基本的構成が前述した第１実施形態の医療用管類固定具１と同様であり、重複する構成の説明は省略し、以下には異なる構成について説明する。
本実施形態の医療用管類固定具１Ｋは、第１実施形態のような固定片２１がなく、固定部２が開口縁４２で構成されている（図１１の第８実施形態と同様）。
本実施形態の医療用管類固定具１Ｋは、第１実施形態のポスト３２に相当する構成が省略され、保持部３はスリット５に臨む大径の収容部３１Ｄで構成されている（図８の第５実施形態と同様）。
本実施形態では、前述した第９実施形態と同様な効果が得られるほか、収容部３１Ｄが大径とされているため、蓋体４３の裏側まで延びるように粘着テープを貼る際にも操作を容易に行うことができる。
【手続補正１８】
【補正対象書類名】明細書
【補正対象項目名】００５３
【補正方法】変更
【補正の内容】
【００５３】
〔第１１実施形態〕
図１４には、本発明に含まれない第１１実施形態が示されている。
本実施形態の医療用管類固定具１Ｌは、基本的構成が前述した第１実施形態の医療用管類固定具１と同様であり、重複する構成の説明は省略し、以下には異なる構成について説明する。
本実施形態の医療用管類固定具１Ｌは、第１実施形態のような固定片２１がなく、固定部２が開口縁４２で構成されている（図１１の第８実施形態と同様）。
本実施形態の医療用管類固定具１Ｌは、第１実施形態のポスト３２に相当する構成が省略され、保持部３はスリット５に臨む大径の収容部３１Ｅで構成されている。さらに、収容部３１Ｅとスリット５との境界部分に一対の突起部３１２が形成されており、スリット５はいったん幅が狭められてから突起部３１２を経て収容部３１Ｅに連続されている（図９の第６実施形態と同様）。
本実施形態では、前述した第１０実施形態と同様な効果が得られるほか、収容部３１Ｅに収容された管類を突起部３１２で仮留めすることができ、粘着テープで固定する操作を容易にすることができる。
【手続補正１９】
【補正対象書類名】明細書
【補正対象項目名】００５６
【補正方法】変更
【補正の内容】
【００５６】
本発明は、医療用管類固定具およびその製造方法として利用できる。